【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
ＰＣＩ Expressのバスを有する画像処理装置であって、
前記画像処理装置の制御と、データに対して第１処理とを行う第１コントローラと、
前記ＰＣＩ Expressのバスを介して前記第１コントローラと接続し、電力供給を受けるとルートコンプレックスとして動作し、データに対して第２処理を行う第２コントローラと、
前記第２コントローラへの電力供給を制御する電源制御手段と、
前記電源制御手段によって前記第２コントローラへの電力供給が停止されると前記第１コントローラをルートコンプレックスに設定し、前記第２コントローラへの電力供給が停止された状態において前記電源制御手段によって前記第２コントローラへの電力供給が開始される際に前記第１コントローラをエンドポイントに設定する設定手段とを有することを特徴とする画像処理装置。
【請求項２】
前記設定手段は、前記画像処理装置が受信するデータの内容を監視し、所定の内容のデータを一定時間、受信しなければ、前記電源制御手段へ前記第２コントローラへの電力供給を停止させる指示を行うことを特徴とする請求項１に記載の画像処理装置。
【請求項３】
前記設定手段は、前記画像処理装置が受信するデータの内容を監視し、前記第２コントローラへの電力供給が停止された状態において所定の内容のデータを受信すると、前記電源制御手段へ前記第２コントローラへの電力供給を開始させる指示を行うことを特徴とする請求項１又は２に記載の画像処理装置。
【請求項４】
前記第１コントローラのＰＣＩ Express部はレジスタを有し、当該レジスタの設定に基づいて前記第１コントローラのルートコンプレックスとエンドポイントの切替が可能であることを特徴とする請求項１乃至３のいずれか１項に記載の画像処理装置。
【請求項５】
前記第１コントローラは、前記設定手段を有することを特徴とする請求項１乃至４のいずれか１項に記載の画像処理装置。
【請求項６】
前記第１コントローラ及び第２コントローラへの電力供給を指示するパワースイッチの操作がなされた場合には、前記設定手段は前記第１コントローラをエンドポイントに設定することを特徴とする請求項１乃至５のいずれか１項に記載の画像処理装置。
【請求項７】
前記第１コントローラと前記第２コントローラはそれぞれ、ＰＣＩ Expressスイッチと接続していることを特徴とする請求項１乃至６のいずれか１項に記載の画像処理装置。
【請求項８】
前記設定手段は、前記ＰＣＩ Expressスイッチのポートの設定を変更することを特徴とする請求項７に記載の画像処理装置。
【請求項９】
前記設定手段は、前記ＰＣＩ Expressのバスと異なる信号線を介して前記ＰＣＩ Expressスイッチの設定を行うことを特徴とする請求項７又は８に記載の画像処理装置。
【請求項１０】
前記電源制御手段は、前記第１コントローラにより制御されることを特徴とする請求項１乃至９のいずれか１項に記載の画像処理装置。
【請求項１１】
受信したデータを前記ＰＣＩ Expressのバスを介して前記第１コントローラ又は前記第２コントローラに転送する転送手段をさらに有し、
前記転送手段は、前記第１コントローラがルートコンプレックスとして動作している場合に受信したデータを前記第１コントローラへ転送し、前記第２コントローラがルートコンプレックスとして動作している場合に受信したデータを前記第２コントローラへ転送することを特徴とする請求項１乃至１０のいずれか１項に記載の画像処理装置。
【請求項１２】
前記第１処理は、多値データを二値データに変換する処理を含むことを特徴とする請求項１乃至１１のいずれか１項に記載の画像処理装置。
【請求項１３】
前記第２処理は、復号化処理を含むことを特徴とする請求項１乃至１２のいずれか１項に記載の画像処理装置。
【請求項１４】
前記第１コントローラから転送されたデータに基づき、記録ヘッドにより記録媒体に記録を行うエンジンコントローラをさらに有することを特徴とする請求項１乃至１３のいずれか１項に記載の画像処理装置。
【請求項１５】
前記記録ヘッドを有することを特徴とする請求項１乃至１４のいずれか１項に記載の画像処理装置。
【請求項１６】
画像処理装置の制御方法であって、
前記画像処理装置は、ＰＣＩ Expressのバスと、前記画像処理装置の制御とデータに対して第１処理とを行う第１コントローラと、ＰＣＩ Expressのバスを介して前記第１コントローラと接続し、電力供給を受けるとルートコンプレックスとして動作し、データに対して第２処理を行う第２コントローラと、前記第２コントローラへの電力供給を制御する電源制御手段とを有しており、
前記制御方法は、
前記電源制御手段によって前記第２コントローラへの電力供給が停止されると前記第１コントローラをルートコンプレックスに設定し、前記第２コントローラへの電力供給が停止された状態において前記電源制御手段によって前記第２コントローラへの電力供給が開始される際に前記第１コントローラをエンドポイントに設定することを特徴とする画像処理装置の制御方法。
【手続補正２】
【補正対象書類名】明細書
【補正対象項目名】発明の名称
【補正方法】変更
【補正の内容】
【発明の名称】画像処理装置、及び画像処理装置の制御方法
【手続補正３】
【補正対象書類名】明細書
【補正対象項目名】０００１
【補正方法】変更
【補正の内容】
【０００１】
本発明は画像処理装置、及び画像処理装置の制御方法に関し、特に、画像データを転送するデータ転送システムにおける画像処理装置、及び画像処理装置の制御方法に関するものである。
【手続補正４】
【補正対象書類名】明細書
【補正対象項目名】００１１
【補正方法】変更
【補正の内容】
【００１１】
本発明は上記従来例に鑑みてなされたもので、ＰＣＩ Expressを用いても電力消費を削減可能な画像処理装置、及び画像処理装置の制御方法を提供することを目的としている。
【手続補正５】
【補正対象書類名】明細書
【補正対象項目名】００１３
【補正方法】変更
【補正の内容】
【００１３】
即ち、ＰＣＩ Expressのバスを有する画像処理装置であって、前記画像処理装置の制御と、データに対して第１処理とを行う第１コントローラと、前記ＰＣＩ Expressのバスを介して前記第１コントローラと接続し、電力供給を受けるとルートコンプレックスとして動作し、データに対して第２処理を行う第２コントローラと、前記第２コントローラへの電力供給を制御する電源制御手段と、前記電源制御手段によって前記第２コントローラへの電力供給が停止されると前記第１コントローラをルートコンプレックスに設定し、前記第２コントローラへの電力供給が停止された状態において前記電源制御手段によって前記第２コントローラへの電力供給が開始される際に前記第１コントローラをエンドポイントに設定する設定手段とを有することを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
さらに本発明を他の側面から見れば、画像処理装置の制御方法であって、前記画像処理装置は、ＰＣＩ Expressのバスと、前記画像処理装置の制御とデータに対して第１処理とを行う第１コントローラと、ＰＣＩ Expressのバスを介して前記第１コントローラと接続し、電力供給を受けるとルートコンプレックスとして動作し、データに対して第２処理を行う第２コントローラと、前記第２コントローラへの電力供給を制御する電源制御手段とを有しており、前記制御方法は、前記電源制御手段によって前記第２コントローラへの電力供給が停止されると前記第１コントローラをルートコンプレックスに設定し、前記第２コントローラへの電力供給が停止された状態において前記電源制御手段によって前記第２コントローラへの電力供給が開始される際に前記第１コントローラをエンドポイントに設定することを特徴とする画像処理装置の制御方法を備える。